(57)【特許請求の範囲】
【請求項１】
舞台の天井面に敷設され、舞台客席側から舞台奥側に向かって延在するように設けられている一対の走行レールと、
該一対の走行レール間を架け渡すように形成され、前記走行レールに沿って走行可能に構成されているメインフレームと、
前記一対の走行レール間を架け渡すように形成され、前記走行レールに沿って走行可能に構成され、前記メインフレームに対して舞台奥側に配置されているサブフレームと、
前記サブフレーム上に載置され、舞台客席側の端部が前記メインフレームに回動可能に取付けられている天井反射板と、
前記舞台に対して垂直に起立するとともに、前記メインフレームの舞台袖方向の両端部に取付けられている一対の側面反射板であって、該側面反射板の舞台客席側の端部が、前記舞台に対して垂直な第１の回動軸を有し、前記側面反射板の舞台客席側の端部は、前記第１の回動軸が第１の移動機構を介して前記メインフレームに取付けられることにより前記メインフレームに沿って移動可能に構成され、前記側面反射板の舞台奥側の端部が、前記舞台に対して垂直な第２の回動軸を有し、前記側面反射板の舞台奥側の端部は、前記第２の回動軸が第２の移動機構を介して前記サブフレームに取付けられることにより前記サブフレームに沿って移動可能に構成されている、一対の側面反射板と、
前記舞台に対して垂直に起立するとともに、上端部が前記サブフレームに取付けられている正面反射板と
を備えていることを特徴とする音響反射板装置。
【請求項２】
前記走行レールが、一対の第１の走行レールと、該一対の第１の走行レールの外側に配置されている第２の走行レールとから構成され、前記メインフレームが、前記第１の走行レールに沿って走行可能に取付けられ、前記サブフレームが、前記メインフレームより低い位置で前記第２の走行レールを架け渡すように形成されるとともに前記第２の走行レールに沿って走行可能に取付けられ、前記メインフレームが、舞台客席側から舞台奥側に向かう方向に所定の幅を有するように形成され、前記側面反射板の舞台客席側の端部が、前記メインフレームの舞台袖方向の端部で且つ前記メインフレームの舞台客席側の端縁部に取付けられ、前記天井反射板の舞台客席側の端部が、前記メインフレームの舞台奥側の端縁部に取付けられていることを特徴とする請求項１記載の音響反射板装置。
【請求項３】
前記第１の移動機構が、前記側面反射板の舞台客席側の端部を前記メインフレームに沿って移動させる第１の駆動機構を備え、前記第２の移動機構が、前記側面反射板の舞台奥側の端部を前記サブフレームに沿って移動させる第２の駆動機構を備え、前記第１の駆動機構及び前記第２の駆動機構が、前記側面反射板の移動を制御する移動制御手段で制御されるように構成されていることを特徴とする請求項１または２のいずれか一項に記載の音響反射板装置。
【請求項４】
前記サブフレームが、第１のサブフレームと、該第１のサブフレームに対して舞台奥側に配置されている第２のサブフレームとから構成され、前記側面反射板の舞台奥側の端部が、前記第１のサブフレームに取付けられ、前記正面反射板の前記上端部が前記第２のサブフレームに取付けられていることを特徴とする請求項１ないし３のいずれか一項に記載の音響反射板装置。
【請求項５】
舞台の天井面に敷設され、舞台客席側から舞台奥側に向かって延在するように設けられている一対の第１の走行レールと、
前記舞台の前記天井面に敷設されるとともに前記一対の第１の走行レールの外側に配置され、舞台客席側から舞台奥側に向かって延在するように設けられている一対の第２の走行レールと、
前記一対の第１の走行レール間を架け渡すように形成され、舞台客席側から舞台奥側に向かう方向に所定の幅を有し、前記第１の走行レールに沿って走行可能に構成されているメインフレームと、
前記一対の第２の走行レール間を前記メインフレームより低い位置で架け渡すように形成され、前記第２の走行レールに沿って走行可能に構成されている第１のサブフレームと、
前記一対の第２の走行レール間を前記メインフレームより低い位置で架け渡すように形成され、前記第２の走行レールに沿って走行可能に構成され、前記第１のサブフレームに対して舞台奥側に配置されている第２のサブフレームと、
前記第１のサブフレーム上に載置され、舞台客席側の端部が前記メインフレームの舞台奥側の端縁部に回動可能に取付けられている天井反射板と、
前記舞台に対して垂直に起立し、舞台客席側の端部が、前記舞台に対して垂直な第１の回動軸を有し、舞台客席側の端部が、前記メインフレームの舞台袖方向の両端部で且つ前記メインフレームの舞台客席側の端縁部に取付けられ、前記舞台客席側の端部は、前記第１の回動軸が第１の移動機構を介して前記メインフレームに取付けられることにより前記メインフレームに沿って移動可能に構成され、舞台奥側の端部が、前記舞台に対して垂直な第２の回動軸を有し、前記舞台奥側の端部は、前記第２の回動軸が第２の移動機構を介して前記第１のサブフレームに取付けられることにより前記第１のサブフレームに沿って移動可能に構成されている、一対の側面反射板と、
前記舞台に対して垂直に起立するとともに、上端部が前記第２のサブフレームに取付けられている正面反射板とを備えている音響反射板装置の折畳み方法であって、
前記第２のサブフレームを前記第２の走行レールに沿って前記第１のサブフレームの位置まで移動させ、前記正面反射板を前記天井反射板の下方の位置に配置するステップと、
前記側面反射板を前記第１の回動軸を中心に回動させながら、前記第１のサブフレームと前記第２のサブフレームとを一体にして前記第２の走行レールを移動させるステップと、
前記第１のサブフレームと前記第２のサブフレームとを前記メインフレームの下方の位置まで移動することにより、前記側面反射板と前記正面反射板とを前記メインフレームの下方に配置するとともに前記天井反射板を前記メインフレームに対して垂直となる位置まで回動させるステップと
を含む音響反射板装置の折畳み方法。
【発明の詳細な説明】
【技術分野】
【０００１】
本発明は、多目的ホール等の舞台上で音響を改善する音響反射板装置に関し、特に、舞台上を移動可能な折り畳み式の音響反射板装置に関する。
【背景技術】
【０００２】
従来より、多目的ホールや劇場等では、演劇や音楽演奏等、様々な催し物が行われている。特に、クラシックコンサートを開催する場合においては、音質が重要視されるので、舞台上に音響反射板装置を配置する場合が多い。
この音響反射板装置は、使用しない場合には、他の催し物が行われる際に不都合が生じてしまうので、できるだけ小さくして舞台奥側の保管場所に収納しておく必要がある。したがって、従来より、収納時のサイズを小さくするために、様々な構成が採用されている。
【０００３】
一般的な音響反射板装置として、複数（通常は３個程度）の門型形状の音響反射板を入れ子状に配置したものがある。この音響反射板装置は、使用する際には、各門型形状の音響反射板を舞台床面上に設けられた走行レール上を走行させて所定の位置に配置するようになっている。また、この音響反射板装置は、収納する際には、各門形形状の音響反射板を入れ子状に重ねた状態で、舞台奥側の保管場所に収納される。
しかしながら、このような音響反射板装置の場合には、舞台床面に音響反射板の重量に耐える鉄製の走行レールを設けなければならず、舞台を使用する際に、走行レールが邪魔になってしまうという問題があった。
また、別の例として、舞台床面に掘り込み状の溝を形成し、この溝の中に走行レールを設け、舞台で催し物を行う際には、この走行レールを蓋で覆うような構成も実施されている。
しかしながら、このような音響反射板装置の場合には、音響反射板を移動させる際に、走行レール上に配置される蓋を取外す作業が必要となるので、音響反射板装置の設置に手間がかかるという問題があった。
【０００４】
特許文献１は、上述の問題を解決するために提案されたものである。この特許文献１では、舞台の天井に一対の天井レール１４を設け、複数の門型形状の音響反射板１１，１２，１３を一対の天井レール１４に移動可能に懸垂させている。複数の門型形状の音響反射板１１，１２，１３は、互いに重なるように入れ子状に構成されており、収納する際には、各門形形状の音響反射板１１，１２，１３を入れ子状に重ねた状態で、舞台奥側の保管場所に収納される。このように、特許文献１では、上述の従来例のように舞台床面に走行レールを設ける必要がなくなり、舞台を使用する際に走行レールが邪魔になるようなことがない。
一方、舞台上で行われる演奏は、１００人を超えるオーケストラから、少人数の演奏やソロ演奏等、様々な演奏形態があり、音響反射板装置の構成もその演奏形態に合わせて変化させたいという要望がある。
【特許文献１】特許第３８８６０８３号公報
【発明の開示】
【発明が解決しようとする課題】
【０００５】
しかしながら、上述の特許文献１では、舞台袖方向（舞台左右方向）の長さが固定された門型形状の音響反射板を使用しているので、舞台袖方向の長さを変更することができない。また、特許文献１の構成では、門型形状の音響反射板を舞台客席側から舞台奥側に向かう方向（舞台前後方向）には移動可能であるが、舞台前後方向の長さを変更しようとすると、各音響反射板が入れ子状に重なるような構成となっているので、音響反射板で形成される内側の表面に段差が生じたり、各門型形状の音響反射板の間に隙間が生じてしまうという問題があった。
加えて、特許文献１の構成では、音響反射板を入れ子状に重ねて収納した際に、音響反射板装置を３分割した長さまでしか小さくすることができないので、音響反射板装置の保管場所として、舞台奥側にかなりのスペースを確保しなければならなかった。
【０００６】
本発明はこのような実状に鑑みてなされたものであって、その目的は、使用する際には、様々な演奏形態に合わせて舞台前後方向及び舞台袖方向の長さを変更でき、収納する際には、よりコンパクトに折畳むことができる音響反射板装置及びその折畳み方法を提供することにある。
【課題を解決するための手段】
【０００７】
上記従来技術の有する課題を解決するために、請求項１の本発明では、舞台の天井面に敷設され、舞台客席側から舞台奥側に向かって延在するように設けられている一対の走行レールと、該一対の走行レール間を架け渡すように形成され、前記走行レールに沿って走行可能に構成されているメインフレームと、前記一対の走行レール間を架け渡すように形成され、前記走行レールに沿って走行可能に構成され、前記メインフレームに対して舞台奥側に配置されているサブフレームと、前記サブフレーム上に載置され、舞台客席側の端部が前記メインフレームに回動可能に取付けられている天井反射板と、前記舞台に対して垂直に起立するとともに、前記メインフレームの舞台袖方向の両端部に取付けられている一対の側面反射板であって、該側面反射板の舞台客席側の端部が、前記舞台に対して垂直な第１の回動軸を有し、前記側面反射板の舞台客席側の端部は、前記第１の回動軸が第１の移動機構を介して前記メインフレームに取付けられることにより前記メインフレームに沿って移動可能に構成され、前記側面反射板の舞台奥側の端部が、前記舞台に対して垂直な第２の回動軸を有し、前記側面反射板の舞台奥側の端部は、前記第２の回動軸が第２の移動機構を介して前記サブフレームに取付けられることにより前記サブフレームに沿って移動可能に構成されている、一対の側面反射板と、前記舞台に対して垂直に起立するとともに、上端部が前記サブフレームに取付けられている正面反射板とを備えている。
【０００８】
請求項２の本発明では、前記走行レールが、一対の第１の走行レールと、該一対の第１の走行レールの外側に配置されている第２の走行レールとから構成され、前記メインフレームが、前記第１の走行レールに沿って走行可能に取付けられ、前記サブフレームが、前記メインフレームより低い位置で前記第２の走行レールを架け渡すように形成されるとともに前記第２の走行レールに沿って走行可能に取付けられ、前記メインフレームが、舞台客席側から舞台奥側に向かう方向に所定の幅を有するように形成され、前記側面反射板の舞台客席側の端部が、前記メインフレームの舞台袖方向の端部で且つ前記メインフレームの舞台客席側の端縁部に取付けられ、前記天井反射板の舞台客席側の端部が、前記メインフレームの舞台奥側の端縁部に取付けられている。
【０００９】
請求項３の本発明では、前記第１の移動機構が、前記側面反射板の舞台客席側の端部を前記メインフレームに沿って移動させる第１の駆動機構を備え、前記第２の移動機構が、前記側面反射板の舞台奥側の端部を前記サブフレームに沿って移動させる第２の駆動機構を備え、前記第１の駆動機構及び前記第２の駆動機構が、前記側面反射板の移動を制御する移動制御手段で制御されるように構成されている。
【００１０】
請求項４の本発明では、前記サブフレームが、第１のサブフレームと、該第１のサブフレームに対して舞台奥側に配置されている第２のサブフレームとから構成され、前記側面反射板の舞台奥側の端部が、前記第１のサブフレームに取付けられ、前記正面反射板の前記上端部が前記第２のサブフレームに取付けられている。
【００１１】
請求項５の本発明では、舞台の天井面に敷設され、舞台客席側から舞台奥側に向かって延在するように設けられている一対の第１の走行レールと、  前記舞台の前記天井面に敷設されるとともに前記一対の第１の走行レールの外側に配置され、舞台客席側から舞台奥側に向かって延在するように設けられている一対の第２の走行レールと、前記一対の第１の走行レール間を架け渡すように形成され、舞台客席側から舞台奥側に向かう方向に所定の幅を有し、前記第１の走行レールに沿って走行可能に構成されているメインフレームと、前記一対の第２の走行レール間を前記メインフレームより低い位置で架け渡すように形成され、前記第２の走行レールに沿って走行可能に構成されている第１のサブフレームと、前記一対の第２の走行レール間を前記メインフレームより低い位置で架け渡すように形成され、前記第２の走行レールに沿って走行可能に構成され、前記第１のサブフレームに対して舞台奥側に配置されている第２のサブフレームと、前記第１のサブフレーム上に載置され、舞台客席側の端部が前記メインフレームの舞台奥側の端縁部に回動可能に取付けられている天井反射板と、前記舞台に対して垂直に起立し、舞台客席側の端部が、前記舞台に対して垂直な第１の回動軸を有し、舞台客席側の端部が、前記メインフレームの舞台袖方向の両端部で且つ前記メインフレームの舞台客席側の端縁部に取付けられ、前記舞台客席側の端部は、前記第１の回動軸が第１の移動機構を介して前記メインフレームに取付けられることにより前記メインフレームに沿って移動可能に構成され、舞台奥側の端部が、前記舞台に対して垂直な第２の回動軸を有し、前記舞台奥側の端部は、前記第２の回動軸が第２の移動機構を介して前記第１のサブフレームに取付けられることにより前記第１のサブフレームに沿って移動可能に構成されている、一対の側面反射板と、前記舞台に対して垂直に起立するとともに、上端部が前記第２のサブフレームに取付けられている正面反射板とを備えている音響反射板装置の折畳み方法であって、前記第２のサブフレームを前記第２の走行レールに沿って前記第１のサブフレームの位置まで移動させ、前記正面反射板を前記天井反射板の下方の位置に配置するステップと、前記側面反射板を前記第１の回動軸を中心に回動させながら、前記第１のサブフレームと前記第２のサブフレームとを一体にして前記第２の走行レールを移動させるステップと、前記第１のサブフレームと前記第２のサブフレームとを前記メインフレームの下方の位置まで移動することにより、前記側面反射板と前記正面反射板とを前記メインフレームの下方に配置するとともに前記天井反射板を前記メインフレームに対して垂直となる位置まで回動させるステップとを含む。
【発明の効果】
【００１２】
上述の如く、本発明によれば、舞台の天井面に敷設され、舞台客席側から舞台奥側に向かって延在するように設けられている一対の走行レールと、該一対の走行レール間を架け渡すように形成され、前記走行レールに沿って走行可能に構成されているメインフレームと、前記一対の走行レール間を架け渡すように形成され、前記走行レールに沿って走行可能に構成され、前記メインフレームに対して舞台奥側に配置されているサブフレームと、前記サブフレーム上に載置され、舞台客席側の端部が前記メインフレームに回動可能に取付けられている天井反射板と、前記舞台に対して垂直に起立するとともに、前記メインフレームの舞台袖方向の両端部に取付けられている一対の側面反射板であって、該側面反射板の舞台客席側の端部が、前記舞台に対して垂直な第１の回動軸を有し、前記側面反射板の舞台客席側の端部は、前記第１の回動軸が第１の移動機構を介して前記メインフレームに取付けられることにより前記メインフレームに沿って移動可能に構成され、前記側面反射板の舞台奥側の端部が、前記舞台に対して垂直な第２の回動軸を有し、前記側面反射板の舞台奥側の端部は、前記第２の回動軸が第２の移動機構を介して前記サブフレームに取付けられることにより前記サブフレームに沿って移動可能に構成されている、一対の側面反射板と、前記舞台に対して垂直に起立するとともに、上端部が前記サブフレームに取付けられている正面反射板とを備えているので、側面反射板の角度を調整したり、一対の側面反射板間の長さを変更することができる。この際、天井反射板の角度及び正面反射板の位置も同時に変更されることになり、その結果、音響反射板装置全体の舞台前後方向の長さ及び舞台袖方向の長さを変更することができる。
例えば、サブフレームを走行レールに沿って舞台客席側に向かって移動させるとともに側面反射板の舞台奥側の端部をサブフレームに沿って内側に移動させることにより、側面反射板を第１の回動軸を中心に回動させながら正面反射板を舞台客席側に移動させることができる。これにより、音響反射板装置の奥行きの長さを変更することができる。
また、側面反射板の舞台客席側の端部をメインフレームに沿って内側に移動させるとともに側面反射板の舞台奥側の端部をサブフレームに沿って内側に移動させることにより、音響反射板装置の舞台前後方向の長さを変えることなく、音響反射板装置の舞台袖方向の長さのみを変更することができる。
【００１３】
更に、本発明によれば、前記走行レールが、一対の第１の走行レールと、該一対の第１の走行レールの外側に配置されている第２の走行レールとから構成され、前記メインフレームが、前記第１の走行レールに沿って走行可能に取付けられ、前記サブフレームが、前記メインフレームより低い位置で前記第２の走行レールを架け渡すように形成されるとともに前記第２の走行レールに沿って走行可能に取付けられ、前記メインフレームが、舞台客席側から舞台奥側に向かう方向に所定の幅を有するように形成され、前記側面反射板の舞台客席側の端部が、前記メインフレームの舞台袖方向の端部で且つ前記メインフレームの舞台客席側の端縁部に取付けられ、前記天井反射板の舞台客席側の端部が、前記メインフレームの舞台奥側の端縁部に取付けられているので、音響反射板装置を折畳む際には、サブフレームを第２の走行レールに沿って舞台客席側へ向かって移動し、サブフレームをメインフレームの下方に位置するように配置することができる。この際、側面反射板は、第１の回動軸を中心に回動しながら折畳まれ、メインフレームの下方に位置することになる。一方、正面反射板は、サブフレームとともにメインフレームの下方に位置することになる。そして、天井反射板は、サブフレームが舞台客席側に向かって移動するにしたがって下方に向かって回動し、メインフレームに対して垂直となる位置まで回動することになる。
上述の従来の門型形状の音響反射板では、音響反射板を入れ子状に重ねるので、収納する際には、音響反射板装置を分割された幅の長さまでにしか小さくすることができなかったが、本発明によれば、音響反射板装置を折畳む際には、メインフレームの下方に側面反射板と正面反射板とが位置して、天井反射板がメインフレームに対して垂直となる位置まで折畳まれるので、メインフレームの舞台前後方向の幅に全ての反射板が収まることになり、従来に比べて音響反射板装置をよりコンパクトに折畳むことができる。
【００１４】
更に、本発明によれば、前記第１の移動機構が、前記側面反射板の舞台客席側の端部を前記メインフレームに沿って移動させる第１の駆動機構を備え、前記第２の移動機構が、前記側面反射板の舞台奥側の端部を前記サブフレームに沿って移動させる第２の駆動機構を備え、前記第１の駆動機構及び前記第２の駆動機構が、前記側面反射板の移動を制御する移動制御手段で制御されるように構成されているので、側面反射板の舞台客席側の端部をメインフレーム沿って自動的に移動させることができ、また、側面反射板の舞台奥側の端部もサブフレームに沿って自動的に移動させることができる。これにより、手動等で側面反射板の移動を行う場合に比べて、側面反射板の移動や角度の調整が容易になる。
【００１５】
更に、本発明によれば、前記サブフレームが、第１のサブフレームと、該第１のサブフレームに対して舞台奥側に配置されている第２のサブフレームとから構成され、前記側面反射板の舞台奥側の端部が、前記第１のサブフレームに取付けられ、前記正面反射板の前記上端部が前記第２のサブフレームに取付けられているので、第２のサブフレームを第２の走行レールに沿って舞台奥側に移動させることにより正面反射板のみを舞台奥側に移動することができる。これにより、正面反射板を音響反射板装置から離れた位置に移動し、通常の正面反射板の位置にスクリーン等を代わりに配置することで、観客に映像を見せるような催し物を行う際にも、映像を見せつつ音響の改善を行うことができる。
【００１６】
更に、本発明によれば、舞台の天井面に敷設され、舞台客席側から舞台奥側に向かって延在するように設けられている一対の第１の走行レールと、  前記舞台の前記天井面に敷設されるとともに前記一対の第１の走行レールの外側に配置され、舞台客席側から舞台奥側に向かって延在するように設けられている一対の第２の走行レールと、前記一対の第１の走行レール間を架け渡すように形成され、舞台客席側から舞台奥側に向かう方向に所定の幅を有し、前記第１の走行レールに沿って走行可能に構成されているメインフレームと、前記一対の第２の走行レール間を前記メインフレームより低い位置で架け渡すように形成され、前記第２の走行レールに沿って走行可能に構成されている第１のサブフレームと、前記一対の第２の走行レール間を前記メインフレームより低い位置で架け渡すように形成され、前記第２の走行レールに沿って走行可能に構成され、前記第１のサブフレームに対して舞台奥側に配置されている第２のサブフレームと、前記第１のサブフレーム上に載置され、舞台客席側の端部が前記メインフレームの舞台奥側の端縁部に回動可能に取付けられている天井反射板と、前記舞台に対して垂直に起立し、舞台客席側の端部が、前記舞台に対して垂直な第１の回動軸を有し、舞台客席側の端部が、前記メインフレームの舞台袖方向の両端部で且つ前記メインフレームの舞台客席側の端縁部に取付けられ、前記舞台客席側の端部は、前記第１の回動軸が第１の移動機構を介して前記メインフレームに取付けられることにより前記メインフレームに沿って移動可能に構成され、舞台奥側の端部が、前記舞台に対して垂直な第２の回動軸を有し、前記舞台奥側の端部は、前記第２の回動軸が第２の移動機構を介して前記第１のサブフレームに取付けられることにより前記第１のサブフレームに沿って移動可能に構成されている、一対の側面反射板と、前記舞台に対して垂直に起立するとともに、上端部が前記第２のサブフレームに取付けられている正面反射板とを備えている音響反射板装置の折畳み方法であって、前記第２のサブフレームを前記第２の走行レールに沿って前記第１のサブフレームの位置まで移動させ、前記正面反射板を前記天井反射板の下方の位置に配置するステップと、前記側面反射板を前記第１の回動軸を中心に回動させながら、前記第１のサブフレームと前記第２のサブフレームとを一体にして前記第２の走行レールを移動させるステップと、前記第１のサブフレームと前記第２のサブフレームとを前記メインフレームの下方の位置まで移動することにより、前記側面反射板と前記正面反射板とを前記メインフレームの下方に配置するとともに前記天井反射板を前記メインフレームに対して垂直となる位置まで回動させるステップとを含むので、メインフレームの舞台前後方向の幅に全ての反射板が収まることになり、従来に比べて音響反射板装置をよりコンパクトに折畳むことができる。また、第２のサブフレームを第１のサブフレームの位置まで移動させた後は、第１のサブフレームと第２のサブフレームを一体にして移動させればよいので、容易に音響反射板装置を折畳むことができる。
【発明を実施するための最良の形態】
【００１７】
以下、本発明に係る音響反射板装置の実施形態を、図面を参照しながら説明する。図１は、本発明の実施形態に係る音響反射板装置の分解斜視図を示した図である。なお、図１において、矢印Ｘの方向を舞台客席側とし、矢印Ｙの方向を舞台奥側とする。また、矢印Ｚの方向を舞台袖方向とする。
【００１８】
本発明の実施形態に係る音響反射板装置１は、多目的ホール等の舞台２上で使用されるものであり、天井反射板３と一対の側面反射板４と正面反射板５とにより客席側に向かって開口するような空間を形成し、クラシックコンサート等を行う際の音響を改善するものである。
【００１９】
図１に示すように、本発明の実施形態に係る音響反射板装置１において、天井反射板３は、舞台２の上方に配置されるものであり、矩形形状に形成されている。天井反射板３は、舞台客席側の端部３ａに回動軸３ｂを有している。また、天井反射板３の下面には、舞台袖方向の両端部において舞台客席側から舞台奥側へ向かう方向（以下、舞台前後方向）に延在する一対のガイドレール３ｃが設けられている。
側面反射板４は、天井反射板３に対して舞台袖方向の両端部に配置されるものであり、上辺が舞台奥側に向かって下方に傾斜するような形状で形成されている。側面反射板４の舞台客席側の端部４ａは、舞台２に対して垂直な第１の回動軸４ｂを有し、側面反射板４の舞台奥側の端部４ｃも、舞台２に対して垂直な第２の回動軸４ｄを有している。
また、正面反射板５は、側面反射板４に対して舞台奥側に配置されるものであり、矩形形状に形成されている。
【００２０】
本発明の実施形態に係る音響反射板装置１において、舞台２の天井面（図示せず）には、舞台前後方向に延在する一対の第１の走行レール６と、該第１の走行レール６の外側に配置され、舞台前後方向に延在する一対の第２の走行レール７とが敷設されている。
【００２１】
第１の走行レール６には、一対の第１の走行レール６間を架け渡すように形成されたメインフレーム８が取付けられている。メインフレーム８は、舞台前後方向に所定の幅を有する板状部８ａと、該板状部８ａの舞台袖方向の両端部から上方に延びる複数の支持部８ｂとから構成されている。また、メインフレーム８の支持部８ｂの上端部８ｃは、走行台車８ｄを備えており、メインフレーム８は、走行台車８ｄを介して第１の走行レール６に取付けられることにより第１の走行レール６に沿って移動可能に構成されている。そして、メインフレーム８の板状部８ａの下面には、舞台袖方向の両端部において、舞台客席側の端縁部８ｅに沿うように一対の第１の移動機構８ｆが設けられている。
ここで、第１の移動機構８ｆは、側面反射板４の舞台客席側の端部４ａをメインフレーム８に沿って移動させるものである。第１の移動機構８ｆは、例えば、スクリュージャッキのような構成であり、ネジ軸（図示せず）と、ネジ軸を移動するナット状部材（図示せず）とから構成されている。また、第１の移動機構８ｆは、ネジ軸を回転させナット状部材を移動せしめる第１の回転駆動モータ（第１の駆動機構（図示せず））を備えており、第１の回転駆動モータは、側面反射板４の移動を制御する移動制御手段９に制御されるようになっている。
【００２２】
第２の走行レール７には、一対の第２の走行レール７間を架け渡すように形成された第１のサブフレーム１０と、一対の第２の走行レール７間を架け渡すように形成され、第１のサブフレーム１０に対して舞台奥側に配置された第２のサブフレーム１１とが取付けられている。
【００２３】
第１のサブフレーム１０は、舞台袖方向に延びる水平部１０ａと、該水平部１０ａの舞台袖方向の両端部から上方に延びる一対の垂直部１０ｂとからなるコ字状の形状を有している。なお、第１のサブフレーム１０の水平部１０ａは、メインフレーム８の板状部８ａよりも低い位置となるように形成されている。第１のサブフレーム１０の垂直部１０ｂの上端部１０ｃは、走行台車１０ｄを備えており、第１のサブフレーム１０は、走行台車１０ｄを介して第２の走行レール７に取付けられることにより第２の走行レール７に沿って移動可能に構成されている。また、第１のサブフレーム１０の水平部１０ａには、各垂直部１０ｂの近傍においてローラ１０ｅが取付けられている。そして、第１のサブフレーム１０の水平部１０ａの下面には、水平部１０ａの舞台袖方向の両端部から水平部１０ａに沿うように一対の第２の移動機構１０ｆが設けられている。
ここで、第２の移動機構１０ｆは、側面反射板４の舞台奥側の端部４ｃをメインフレーム８に沿って移動させるものである。第２の移動機構１０ｆは、第１の移動機構８ｆと同様に、スクリュージャッキのような構成であり、ネジ軸（図示せず）と、ネジ軸を移動するナット状部材（図示せず）とから構成されている。第２の移動機構１０ｆは、ネジ軸を回転させナット状部材を移動せしめる第２の回転駆動モータ（第２の駆動機構（図示せず））を備えており、第２の回転駆動モータは、側面反射板４の移動を制御する移動制御手段９に制御されるようになっている。
【００２４】
第２のサブフレーム１１は、舞台袖方向に延びる水平部１１ａと、該水平部１１ａの舞台袖方向の両端部から上方に延びる一対の垂直部１１ｂとからなるコ字状の形状を有している。なお、第２のサブフレーム１１の水平部１１ａは、第１のサブフレーム１０の水平部１０ａと略同じ高さとなるように形成されている。また、第２のサブフレーム１１の垂直部１１ｂの上端部１１ｃは、走行台車１１ｄを備えており、第２のサブフレーム１１は、走行台車１１ｄを介して第２の走行レール７に取付けられることにより第２の走行レール７に沿って移動可能に構成されている。
【００２５】
図２は、本発明の実施形態に係る音響反射板装置において図１の各反射板が取付けられた状態を示した図である。
【００２６】
図２に示すように、天井反射板３は、回動軸３ｂがヒンジ機構１２を介してメインフレーム８の舞台奥側の端縁部８ｇに回動可能に取付けられている。そして、天井反射板３は、第１のサブフレーム１０のローラ１０ｅが天井反射板３のガイドレール３ｃに当接するように第１のサブフレーム１０上に載置されている。
以上の構成から、図３に示すように、天井反射板３は、第１のサブフレーム１０が第２の走行レール７に沿って舞台客席側に移動する際には、ローラ１０ｅがガイドレール３ｃに当接しながら、回動軸３ｂを中心に下方に回動するようになっている。また、天井反射板３は、第１のサブフレーム１０が第２の走行レール７に沿って舞台奥側に移動する際には、ローラ１０ｅがガイドレール３ｃに当接しながら、回動軸３ｂを中心に上方に回動するようになっている。
【００２７】
また、図２に示すように、側面反射板４の第１の回動軸４ｂは、第１の移動機構８ｆのナット状部材に回動可能に取付けられている。これにより、側面反射板４の舞台客席側の端部４ａは、第１の回動軸４ｂを中心に回動するとともにメインフレーム８に沿って移動するようになっている。
また、側面反射板４の第２の回動軸４ｄは、第２の移動機構１０ｆのナット状部材に回動可能に取付けられている。これにより、側面反射板４の舞台奥側の端部４ｃは、第２の回動軸４ｄを中心に回動するとともに第１のサブフレーム１０に沿って移動するようになっている。
以上の構成から、図４に示すように、第１のサブフレーム１０を第２の走行レール７に沿って舞台客席側に向かって移動させるとともに側面反射板４の舞台奥側の端部４ｃを第１のサブフレーム１０に沿って内側に移動させることにより、側面反射板４は第１の回動軸４ｂを中心に回転するようになっている。
また、図５に示すように、側面反射板４の舞台客席側の端部４ａをメインフレーム８に沿って内側に移動させるとともに側面反射板４の舞台奥側の端部４ｃを第１のサブフレーム１０に沿って内側に移動させることにより、一対の側面反射板４の間の長さを変更できるようになっている。
【００２８】
図２に示すように、正面反射板５は、舞台２に対して垂直に起立するように、上端部が第２のサブフレーム１１の水平部１１ａに取付けられている。
図６に示すように、正面反射板５は、第２のサブフレーム１１が第２の走行レール７に沿って移動するに従って、舞台前後方向を移動するようになっている。
【００２９】
次に、本発明の実施形態に係る音響反射板装置１において、演奏形態に合わせて変形させた各態様について説明する。
【００３０】
図７は、本実施形態の第１の態様を示しており、音響反射板装置の舞台前後方向の長さを小さく設定した態様を示している。
図７に示すように、音響反射板装置１において、第１のサブフレーム１０を第２の走行レール７に沿って舞台客席側に向かって移動させるとともに側面反射板４の舞台奥側の端部４ｃを第１のサブフレーム１０に沿って内側に移動させることにより、一対の側面反射板４は第１の回動軸４ｂを中心に内側に向かって回動することになる。この際、第２のサブフレーム１１も第１のサブフレーム１０とともに第２の走行レール７に沿って舞台客席側に向かって移動させることにより、正面反射板５も舞台客席側に向かって移動することになる。一方、天井反射板３は、第１のサブフレーム１０が第２の走行レール７に沿って舞台客席側に向かって移動するので、それにともなって下方に向かって回動することになる。以上のように、音響反射板装置１は、舞台前後方向の長さを変更できるようになっている。
【００３１】
また、図８は、本実施形態の第２の態様を示しており、音響反射板装置の舞台袖方向の長さを小さく設定した態様を示している。
図８に示すように、音響反射板装置１において、側面反射板４の舞台客席側の端部４ａをメインフレーム８に沿って内側に移動させるとともに側面反射板４の舞台奥側の端部４ｃを第１のサブフレーム１０に沿って内側に移動させることにより、一対の側面反射板４は、回動することなく通常の傾斜角度を保った状態で、一対の側面反射板４の間の長さを変更できるようになっている。この際、第１のサブフレーム１０及び第２のサブフレーム１１は移動されないので、天井反射板３の位置と正面反射板５の位置は変更されない。以上のように、音響反射板装置１は、舞台前後方向の長さを変更することなく、舞台袖方向の長さのみを変更できるようになっている。
【００３２】
図９は、本実施形態の第３の態様を示しており、正面反射板を音響反射板装置から離れた位置に移動させた態様を示している。
図９に示すように、音響反射板装置１において、第２のサブフレーム１１のみを舞台奥側に向かって第２の走行レール７に沿って移動させることにより、正面反射板５が音響反射板装置１から離れた位置に配置されている。この際、通常の正面反射板５の位置にスクリーン等を代わりに配置することで、観客に映像を見せるような催し物を行う際にも、映像を見せつつ音響の改善を行えるようになっている。
【００３３】
次に、本発明の実施形態に係る音響反射板装置１の折畳み方法について説明する。図１０は、本発明の実施形態に係る音響反射板装置を折畳んだ状態を示している。
【００３４】
本発明の実施形態に係る音響反射板装置１を折畳む場合には、まず、第２のサブフレーム１１を第２の走行レール７に沿って第１のサブフレーム１０の位置まで移動させ、正面反射板５を天井反射板３の下方に配置する。
次に、第１のサブフレーム１０と第２のサブフレーム１１とを一体にして第２の走行レール７を移動させるとともに側面反射板４の舞台奥側の端部４ｃを第１のサブフレーム１０に沿って内側に移動させる。この際、一対の側面反射板４は、それぞれ第１の回動軸４ｂを中心に回動することになる。
そして、図１０に示すように、第１のサブフレーム１０と第２のサブフレーム１１とをメインフレーム８の下方の位置まで移動し、側面反射板４と正面反射板５とをメインフレーム８の下方に配置する。この際、天井反射板３は、メインフレーム８に対して垂直となる位置まで回動することになる。
以上により、音響反射板装置１の折畳みが完了することになる。
なお、音響反射板装置１は、その後、折畳んだ状態でメインフレーム８と第１のサブフレーム１０と第２のサブフレーム１１とを一体にして舞台奥側へ移動させることにより、舞台奥側の保管場所に収納することができる。
【００３５】
上述のように、本発明の実施形態に係る音響反射板装置１によれば、舞台２の天井面に敷設され、舞台客席側から舞台奥側に向かって延在するように設けられている一対の第１の走行レール６と、舞台２の天井面に敷設されるとともに一対の第１の走行レール６の外側に配置され、舞台前後方向に延在するように設けられている一対の第２の走行レール７と、一対の第１の走行レール６間を架け渡すように形成され、第１の走行レール６に沿って走行可能に構成されているメインフレーム８と、一対の第２の走行レール７間をメインフレーム８より低い位置で架け渡すように形成され、第２の走行レール７に沿って走行可能に構成されている第１のサブフレーム１０と、一対の第２の走行レール７間をメインフレーム８より低い位置で架け渡すように形成され、第２の走行レール７に沿って走行可能に構成され、第１のサブフレーム１０に対して舞台奥側に配置されている第２のサブフレーム１１と、第１のサブフレーム１０上に載置され、舞台客席側の端部３ａがメインフレーム８に回動可能に取付けられている天井反射板３と、舞台２に対して垂直に起立するとともに、メインフレーム８の舞台袖方向の両端部に取付けられている一対の側面反射板４であって、側面反射板４の舞台客席側の端部４ａが、舞台２に対して垂直な第１の回動軸４ｂを有し、側面反射板４の舞台客席側の端部４ａは、第１の回動軸４ｂが第１の移動機構８ｆを介してメインフレーム８に取付けられることによりメインフレーム８に沿って移動可能に構成され、側面反射板４の舞台奥側の端部４ｃが、舞台２に対して垂直な第２の回動軸４ｄを有し、側面反射板４の舞台奥側の端部４ｃは、第２の回動軸４ｄが第２の移動機構１０ｆを介して第１のサブフレーム１０に取付けられることにより第１のサブフレーム１０に沿って移動可能に構成されている、一対の側面反射板４と、舞台２に対して垂直に起立するとともに、上端部５ａが第２のサブフレーム１１に取付けられている正面反射板５とを備えているので、側面反射板４の角度を調整したり、一対の側面反射板４間の長さを変更することができる。この際、天井反射板３の角度及び正面反射板５の位置も同時に変更されることになり、その結果、音響反射板装置１全体の舞台前後方向の長さ及び舞台袖方向の長さを変更することができる。
例えば、第１のサブフレーム１０及び第２のサブフレーム１１を第２の走行レール７に沿って舞台客席側に向かって移動させるとともに側面反射板４の舞台奥側の端部４ｃを第１のサブフレーム１０に沿って内側に移動させることにより、音響反射板装置１の奥行きの長さを変更することができる。また、側面反射板４の舞台客席側の端部４ａをメインフレーム８に沿って内側に移動させるとともに側面反射板４の舞台奥側の端部４ｃを第１のサブフレーム１０に沿って内側に移動させることにより、音響反射板装置１の舞台前後方向の長さを変えることなく、音響反射板装置１の舞台袖方向の長さのみを変更することができる。
【００３６】
また、第２のサブフレーム１１を第２の走行レール７に沿って舞台奥側に移動させることにより正面反射板５のみを舞台奥側に移動することができる。これにより、正面反射板５を音響反射板装置１から離れた位置に移動し、通常の正面反射板５の位置にスクリーン等を代わりに配置することで、観客に映像を見せるような催し物を行う際にも、映像を見せつつ音響の改善を行うことができる。
【００３７】
また、本発明の実施形態に係る音響反射板装置１によれば、メインフレーム８が第１の走行レール６を走行可能に構成され、第１のサブフレーム１０及び第２のサブフレーム１１が第１の走行レール６に対して外側に配置された第２の走行レール７を走行可能に構成され、メインフレーム８が、舞台前後方向に所定の幅を有するように形成され、側面反射板４の舞台客席側の端部４ａが、メインフレーム８の舞台袖方向の両端部で且つメインフレーム８の舞台客席側の端縁部８ｅに沿って設けられた第１の移動機構８ｆに取付けられ、天井反射板３の舞台客席側の端部３ａが、メインフレーム８の舞台奥側の端縁部８ｇに取付けられているので、音響反射板装置１を折畳む際には、第１のサブフレーム１０及び第２のサブフレーム１１を第２の走行レール７に沿って舞台客席側へ向かって移動し、第１のサブフレーム１０及び第２のサブフレーム１１をメインフレーム８の下方に位置するように配置することができる。この際、側面反射板４は、第１の回動軸４ｂを中心に回動しながら折畳まれ、メインフレーム８の下方に位置することになる。一方、正面反射板５は、第２のサブフレーム１１とともにメインフレーム８の下方に位置することになる。そして、天井反射板３は、第１のサブフレーム１０が舞台客席側に向かって移動するにしたがって下方に向かって回動し、メインフレーム８に対して垂直となる位置まで回動することになる。
上述の従来の門型形状の音響反射板では、音響反射板を入れ子状に重ねるので、収納する際には、音響反射板装置を分割された幅の長さまでにしか小さくすることができなかったが、本発明によれば、収納する際には、メインフレーム８の下方に側面反射板４と正面反射板５とが位置して、天井反射板３がメインフレーム８に対して垂直となる位置まで折畳まれるので、メインフレーム８の幅の長さに全ての反射板３，４，５が収まることになり、従来に比べて音響反射板装置１をよりコンパクトに収納することができる。
【００３８】
また、本発明の実施形態に係る音響反射板装置１によれば、第１の移動機構８ｆが、ネジ軸と該ネジ軸を移動するナット状部材とから構成され、第１の移動機構８ｆは、ネジ軸を回転させナット状部材を移動せしめる第１の回転駆動モータを備え、第２の移動機構１０ｆが、ネジ軸と該ネジ軸を移動するナット状部材とから構成され、第２の移動機構１０ｆは、ネジ軸を回転させナット状部材を移動せしめる第２の回転駆動モータを備え、各回転駆動モータが、側面反射板４の移動を制御する移動制御手段９で制御されるように構成されているので、側面反射板４の舞台客席側の端部４ａをメインフレーム８沿って自動的に移動させることができ、また、側面反射板４の舞台奥側の端部４ｃも第１のサブフレーム１０に沿って自動的に移動させることができる。これにより、手動等で側面反射板４の移動を行う場合に比べて、側面反射板４の移動や角度の調整が容易になる。
【００３９】
以上、本発明の実施の形態につき述べたが、本発明は既述の実施形態に限定されるものでなく、本発明の技術的思想に基づいて各種の変形及び変更が可能である。
【００４０】
本発明の実施形態では、映像を見せるような催し物を考慮して第１のサブフレーム１０と第２のサブフレーム１１を別個に構成しているが、音楽のみの催し物が行われるようなホールにおいては、第１のサブフレーム１０と第２のサブフレーム１１とを一体にして一つのサブフレームとしてもよい。
【００４１】
本発明の実施形態では、メインフレーム８と第１のサブフレーム１０と第２のサブフレーム１１とが、それぞれ走行台車８ｄ，１０ｄ，１１ｄを備え、第１の走行レール６或いは第２の走行レール７を走行可能に構成されているが、第１の走行レール６及び第２の走行レール７をＨ型鋼とし、走行台車８ｄ，１０ｄ，１１ｄを車輪とし、Ｈ形鋼に車輪が噛み合うような構成としてもよい。
【図面の簡単な説明】
【００４２】
【図１】本発明の実施形態に係る音響反射板装置の分解斜視図を示した図である。
【図２】本発明の実施形態に係る音響反射板装置において図１の各構成要素が取付けられた状態を示した図であり、（ａ）が斜視図であり、（ｃ）は（ａ）の音響反射板装置の断面図であって舞台上方から見た図であり、（ｂ）は（ａ）の音響反射板装置の断面図であって舞台袖方向から見た図である。
【図３】本発明の実施形態に係る天井反射板が回動する過程を示した図である。
【図４】本発明の実施形態に係る一対の側面反射板が回動する過程を示した図であり、音響反射板装置の舞台前後方向の長さを変化させる場合の動きを示した図である。
【図５】本発明の実施形態に係る側面反射板が移動する過程を示した図であり、音響反射板装置の舞台袖方向の長さを変化させる場合の動きを示した図である。
【図６】本発明の実施形態に係る正面反射板が移動する過程を示した図である。
【図７】本発明の実施形態に係る音響反射板装置における第１の態様を示した図であり、（ａ）が斜視図であり、（ｃ）は（ａ）の音響反射板装置の断面図であって舞台上方から見た図であり、（ｂ）は（ａ）の音響反射板装置の断面図であって舞台袖方向から見た図である。
【図８】本発明の実施形態に係る音響反射板装置における第２の態様を示した図であり、（ａ）が斜視図であり、（ｃ）は（ａ）の音響反射板装置の断面図であって舞台上方から見た図であり、（ｂ）は（ａ）の音響反射板装置の断面図であって舞台袖方向から見た図である。
【図９】本発明の実施形態に係る音響反射板装置における第３の態様を示した斜視図である。
【図１０】本発明の実施形態に係る音響反射板装置を折畳んだ状態の図であり、（ａ）が斜視図であり、（ｃ）は（ａ）の音響反射板装置の断面図であって舞台上方から見た図であり、（ｂ）は（ａ）の音響反射板装置の断面図であって舞台袖方向から見た図である。
【符号の説明】
【００４３】
１  音響反射板装置
２  舞台
３  天井反射板
３ａ  天井反射板の舞台客席側の端部
３ｂ  天井反射板の回動軸
４  側面反射板
４ａ  側面反射板の舞台客席側の端部
４ｂ  側面反射板の第１の回動軸
４ｃ  側面反射板の舞台奥側の端部
４ｄ  側面反射板の第２の回動軸
５  正面反射板
６  第１の走行レール
７  第２の走行レール
８  メインフレーム
８ａ  板状部
８ｂ  支持部
８ｃ  支持部の上端部
８ｄ  走行台車
８ｅ  メインフレームの舞台客席側の端縁部
８ｆ  第１の移動機構
８ｇ  メインフレームの舞台奥側の端縁部
９  移動制御手段
１０  第１のサブフレーム
１０ａ  第１のサブフレームの水平部
１０ｂ  第１のサブフレームの垂直部
１０ｃ  垂直部の上端部
１０ｄ  走行台車
１０ｅ  ローラ
１０ｆ  第２の移動機構
１１  第２のサブフレーム
１１ａ  第２のサブフレームの水平部
１１ｂ  第２のサブフレームの垂直部
１１ｃ  垂直部の上端部
１１ｄ  走行台車
１２  ヒンジ機構
【図１】
0005308710.tif 000002
【図２】
0005308710.tif 000003
【図３】
0005308710.tif 000004
【図４】
0005308710.tif 000005
【図５】
0005308710.tif 000006
【図６】
0005308710.tif 000007
【図７】
0005308710.tif 000008
【図８】
0005308710.tif 000009
【図９】
0005308710.tif 000010
【図１０】
0005308710.tif 000011